(57)【要約】【課題】スライドショー中でも表示されている対象物が何であるのかを簡単な操作で迅速に、また確実に確認することができる表示装置等を提供する。【解決手段】所定の時間間隔毎に画像を切り替えながら表示画面に画像を表示するスライドショーの表示制御を行う表示制御手段と、人又は物の画像である対象画像を識別するための対象識別データと、当該識別対象に関する属性情報と、を対応付けて記憶する記憶手段と、接触位置検出手段により検出された接触位置を含む所定範囲内に、対象識別データに基づいて識別対象が表示されているか否かを判断する識別対象表示判断手段と、を備え、表示制御手段は、識別対象表示判断手段により接触位置を含む所定範囲内に識別対象が表示されていると判断された場合に、当該識別対象が表示されている表示画面に、記憶手段に記憶され且つ当該識別対象に対応する属性情報を表示する表示制御を行う。【選択図】図６
2011008492.tif 000002
【特許請求の範囲】
【請求項１】
表示画面と、当該表示画面に重ねて配置され接触位置を検出する接触位置検出手段と、を有する表示装置において、
所定の時間間隔毎に画像を切り替えながら前記表示画面に前記画像を表示するスライドショーの表示制御を行う表示制御手段と、
画像上に存在する識別対象としての人又は物を識別するための対象識別データと、当該識別対象に関する属性情報と、を対応付けて記憶する記憶手段と、
前記接触位置検出手段により検出された接触位置を含む所定範囲内に、前記対象識別データに基づいて前記識別対象が表示されているか否かを判断する識別対象表示判断手段と、
を備え、
前記表示制御手段は、前記識別対象表示判断手段により接触位置を含む所定範囲内に前記識別対象が表示されていると判断された場合に、当該識別対象が表示されている前記表示画面に、前記記憶手段に記憶され且つ当該識別対象に対応する属性情報を表示する表示制御とスライドショー動作の変更を行うことを特徴とする表示装置。
【請求項２】
請求項１に記載の表示装置において、
前記スライドショーの動作を規定するスライドショー動作情報を設定するスライドショー動作情報設定手段を更に備え、
前記スライドショー動作情報設定手段は、前記識別対象表示判断手段により接触位置を含む所定範囲内に前記識別対象が表示されていると判断され、前記表示制御手段により当該識別対象に対応する前記属性情報を表示する表示制御が行われる場合に、前記スライドショー動作情報の変更内容を示すスライドショー動作変更情報に基づいて前記スライドショー動作情報を変更し、
前記表示制御手段は、前記スライドショー動作情報設定手段により変更されたスライドショー動作情報に基づいて、前記スライドショーの表示制御を行うことを特徴とする表示装置。
【請求項３】
請求項２に記載の表示装置において、
前記スライドショー動作情報設定手段は、前記スライドショー動作変更情報に基づいて、前記スライドショー動作情報のうち、前記識別対象の画像の表示に関する時間情報を変更することを特徴とする表示装置。
【請求項４】
請求項２又は請求項３に記載の表示装置において、
前記スライドショー動作情報設定手段は、前記スライドショー動作変更情報に基づいて、前記スライドショー動作情報のうち、前記識別対象の画像に対して与える視覚効果としてのエフェクトを示すエフェクト情報を変更することを特徴とする表示装置。
【請求項５】
請求項１乃至請求項４のいずれか一項に記載の表示装置において、
前記識別対象表示判断手段は、前記接触位置検出手段により検出された接触位置を含む所定範囲内に前記識別対象としての人の顔の画像が表示されているか否かを判断することを特徴とする表示装置。
【請求項６】
請求項１乃至請求項５のいずれか一項に記載の表示装置において、
前記属性情報は、少なくとも電話番号情報を含むものであり、
外部と通信を行う外部通信手段と、
前記識別対象表示判断手段により接触位置を含む所定範囲内に表示されていると判断された前記識別対象に対応する属性情報の中に電話番号情報が含まれているか否かを判断する電話番号情報含有判断手段と、
前記表示制御手段により表示された属性情報に電話番号情報が含まれていると前記電話番号情報含有判断手段により判断された場合に、前記接触位置検出手段により検出された接触位置を含む所定範囲内に前記電話番号情報が表示されているか否かを判断する電話番号情報表示判断手段と、
前記電話番号情報表示判断手段により接触位置を含む所定範囲内に前記電話番号情報が表示されていると判断された場合に、前記外部通信手段により前記電話番号情報に基づいて外部と通信を行う通信制御手段と、
を更に備えることを特徴とする表示装置。
【請求項７】
請求項６に記載の表示装置において、
前記外部通信手段により外部と通信が行われているか否かを判断する外部通信判断手段を更に備え、
前記表示制御手段は、前記外部通信判断手段により外部と通信が行われていると判断された場合には、前記スライドショーにおける画像の切り替えを行わないことを特徴とする表示装置。
【請求項８】
請求項１乃至請求項７のいずれか一項に記載の表示装置において、
前記表示制御手段は、前記識別対象が表示されている領域以外の領域に前記属性情報を表示することを特徴とする表示装置。
【請求項９】
表示画面に重ねて配置され接触位置を検出する接触位置検出工程を有する表示方法において、
所定の時間間隔毎に画像を切り替えながら前記表示画面に前記画像を表示するスライドショーの表示制御を行う表示制御工程と、
前記接触位置検出手段により検出された接触位置を含む所定範囲内に、画像上に存在する識別対象としての人又は物を識別するための対象識別データと、当該識別対象に関する属性情報と、を対応付けて記憶する記憶手段に記憶されている前記対象識別データに基づいて前記識別対象が表示されているか否かを判断する識別対象表示判断工程と、
を有し、
前記表示制御手段は、前記識別対象表示判断手段により接触位置を含む所定範囲内に前記識別対象が表示されていると判断された場合に、当該識別対象が表示されている前記表示画面に、前記記憶手段に記憶され且つ当該識別対象に対応する属性情報を表示する表示制御とスライドショー動作の変更を行うことを特徴とする表示方法。
【請求項１０】
コンピュータを、
請求項１乃至請求項９のいずれか一項に記載の表示装置として機能させることを特徴とする表示プログラム。
【発明の詳細な説明】
【技術分野】
【０００１】
本発明は、複数の画像を順次表示する表示装置、表示方法、及び表示プログラムの技術分野に関する。
【背景技術】
【０００２】
従来、デジタルカメラで撮影した画像（写真）の利用方法として多くの方法が提案されているが、近頃、その方法の１つとしてデジタルフォトフレーム（写真立て）での利用が知られている。デジタルフォトフレームとは、デジタルカメラで撮影され記憶媒体に保存されている画像データに関して、当該記憶媒体を当該デジタルフォトフレームに挿入・装着することにより当該画像データを当該デジタルフォトフレームの内部に転送し、それを当該デジタルフォトフレームが具備する液晶ディスプレイ等に表示することにより、当該画像データの印刷をせずして、外見上は旧来の写真立て（印刷済み写真をはさんでインテリアとして設置される非電子的什器）と同様に画像を表示することのできる装置である。
【０００３】
このデジタルフォトフレームにて画像を表示する形式の１つに、時間の経過に従って画像を切り替えながら表示するスライドショー再生による表示形式がある。例えば、特許文献１には、複数の人物の画像を順に表示する技術が開示されている。この技術は、画像中に含まれる複数の人物の顔領域を検出し、顔の位置、顔の大きさ、性別、年齢等の属性情報に基づく順番で複数の顔領域を順に遷移しつつ拡大表示するというものである。
【先行技術文献】
【特許文献】
【０００４】
【特許文献１】特開２００７−４１８６６号公報
【発明の概要】
【発明が解決しようとする課題】
【０００５】
しかしながら、特許文献１に記載の技術では、使用者が複数の写真（画像）を見ているうちに、表示されている写真に写っている人物が誰なのかわからない、思い出せない、といった問題が生じることがあり、その場合にその人物が誰なのかを素早く確認する方法がなかった。
【０００６】
本発明はこのような状況に鑑みてなされたものであり、スライドショー中でも表示されている対象物が何であるのかを簡単な操作で迅速に、また確実に確認することができる表示装置等を提供することを主たる課題とする。
【課題を解決するための手段】
【０００７】
上記課題を解決するために、請求項１に記載の発明は、表示画面と、当該表示画面に重ねて配置され接触位置を検出する接触位置検出手段と、を有する表示装置において、所定の時間間隔毎に画像を切り替えながら前記表示画面に前記画像を表示するスライドショーの表示制御を行う表示制御手段と、画像上に存在する識別対象としての人又は物を識別するための対象識別データと、当該識別対象に関する属性情報と、を対応付けて記憶する記憶手段と、前記接触位置検出手段により検出された接触位置を含む所定範囲内に、前記対象識別データに基づいて前記識別対象が表示されているか否かを判断する識別対象表示判断手段と、を備え、前記表示制御手段は、前記識別対象表示判断手段により接触位置を含む所定範囲内に前記識別対象が表示されていると判断された場合に、当該識別対象が表示されている前記表示画面に、前記記憶手段に記憶され且つ当該識別対象に対応する属性情報を表示する表示制御とスライドショー動作の変更を行うことを特徴とする。
【０００８】
請求項２に記載の発明は、請求項１に記載の表示装置において、前記スライドショーの動作を規定するスライドショー動作情報を設定するスライドショー動作情報設定手段を更に備え、前記スライドショー動作情報設定手段は、前記識別対象表示判断手段により接触位置を含む所定範囲内に前記識別対象が表示されていると判断され、前記表示制御手段により当該識別対象に対応する前記属性情報を表示する表示制御が行われる場合に、前記スライドショー動作情報の変更内容を示すスライドショー動作変更情報に基づいて前記スライドショー動作情報を変更し、前記表示制御手段は、前記スライドショー動作情報設定手段により変更されたスライドショー動作情報に基づいて、前記スライドショーの表示制御を行うことを特徴とする。
【０００９】
請求項３に記載の発明は、請求項２に記載の表示装置において、前記スライドショー動作情報設定手段は、前記スライドショー動作変更情報に基づいて、前記スライドショー動作情報のうち、前記識別対象の画像の表示に関する時間情報を変更することを特徴とする。
【００１０】
請求項４に記載の発明は、請求項２又は請求項３に記載の表示装置において、前記スライドショー動作情報設定手段は、前記スライドショー動作変更情報に基づいて、前記スライドショー動作情報のうち、前記識別対象の画像に対して与える視覚効果としてのエフェクトを示すエフェクト情報を変更することを特徴とする。
【００１１】
請求項５に記載の発明は、請求項１乃至請求項４のいずれか一項に記載の表示装置において、前記識別対象表示判断手段は、前記接触位置検出手段により検出された接触位置を含む所定範囲内に前記識別対象としての人の顔の画像が表示されているか否かを判断することを特徴とする。
【００１２】
請求項６に記載の発明は、請求項１乃至請求項５のいずれか一項に記載の表示装置において、前記属性情報は、少なくとも電話番号情報を含むものであり、外部と通信を行う外部通信手段と、前記識別対象表示判断手段により接触位置を含む所定範囲内に表示されていると判断された前記識別対象に対応する属性情報の中に電話番号情報が含まれているか否かを判断する電話番号情報含有判断手段と、前記表示制御手段により表示された属性情報に電話番号情報が含まれていると前記電話番号情報含有判断手段により判断された場合に、前記接触位置検出手段により検出された接触位置を含む所定範囲内に前記電話番号情報が表示されているか否かを判断する電話番号情報表示判断手段と、前記電話番号情報表示判断手段により接触位置を含む所定範囲内に前記電話番号情報が表示されていると判断された場合に、前記外部通信手段により前記電話番号情報に基づいて外部と通信を行う通信制御手段と、を更に備えることを特徴とする。
【００１３】
請求項７に記載の発明は、請求項６に記載の表示装置において、前記外部通信手段により外部と通信が行われているか否かを判断する外部通信判断手段を更に備え、前記表示制御手段は、前記外部通信判断手段により外部と通信が行われていると判断された場合には、前記スライドショーにおける画像の切り替えを行わないことを特徴とする。
【００１４】
請求項８に記載の発明は、請求項１乃至請求項７のいずれか一項に記載の表示装置において、前記表示制御手段は、前記識別対象が表示されている領域以外の領域に前記属性情報を表示することを特徴とする。
【００１５】
請求項９に記載の発明は、表示画面に重ねて配置され接触位置を検出する接触位置検出工程を有する表示方法において、所定の時間間隔毎に画像を切り替えながら前記表示画面に前記画像を表示するスライドショーの表示制御を行う表示制御工程と、前記接触位置検出手段により検出された接触位置を含む所定範囲内に、画像上に存在する識別対象としての人又は物を識別するための対象識別データと、当該識別対象に関する属性情報と、を対応付けて記憶する記憶手段に記憶されている前記対象識別データに基づいて前記識別対象が表示されているか否かを判断する識別対象表示判断工程と、を有し、前記表示制御手段は、前記識別対象表示判断手段により接触位置を含む所定範囲内に前記識別対象が表示されていると判断された場合に、当該識別対象が表示されている前記表示画面に、前記記憶手段に記憶され且つ当該識別対象に対応する属性情報を表示する表示制御とスライドショー動作の変更を行うことを特徴とする。
【００１６】
請求項１０に記載の発明は、コンピュータを、請求項１乃至請求項９のいずれか一項に記載の表示装置として機能させることを特徴とする。
【発明の効果】
【００１７】
請求項１、９又は１０に記載の発明によれば、スライドショーの表示が行われているときに、対象物が表示されている場所をユーザが指等で接触することにより、画面に表示されている対象物が何であるのかという情報を、簡単な操作で迅速に確認することができる。
【００１８】
請求項２に記載の発明によれば、スライドショー動作情報を適切に変更することで、ユーザが属性情報や属性情報が表示されている対象物を確実に確認することができる。
【００１９】
請求項３に記載の発明によれば、例えば、対象物の画像及び属性情報が表示されている画像の表示時間を通常の表示時間よりも長くしたり、画像の切り替えの際に施される視覚効果に要する時間を通常の時間よりも長くすることで、ユーザが属性情報や属性情報が表示されている対象物を確実に確認することができる。
【００２０】
請求項４に記載の発明によれば、例えば、画像の表示拡大率を高くして対象物の画像を通常よりも大きく表示することで、ユーザが対象物を詳細に確認することができる。また、例えば、画像の切り替えの際に施される視覚効果を視認しやすいものに変更することで、ユーザが属性情報や属性情報が表示されている対象物を確実に確認することができる。
【００２１】
請求項５に記載の発明によれば、画面に表示されている人物が誰であるのかを簡単な操作で迅速に確認することができる。
【００２２】
請求項６に記載の発明によれば、電話番号情報が表示されている場所にユーザが指等で接触することにより、ユーザは、画面に表示されている人物に対して簡単な操作で電話することができる。
【００２３】
請求項７に記載の発明によれば、ユーザは、人物の顔画像と属性情報を見ながらその人物と電話することができる。
【００２４】
請求項８に記載の発明によれば、ユーザは、属性情報を確認しながら、画面に表示された対象物も確実に確認することができる。
【図面の簡単な説明】
【００２５】
【図１】一実施形態に係る画像表示装置１の概要構成の一例を示すブロック図である。
【図２】アドレス帳ＤＢに登録される情報の内容の一例を示す図である。
【図３】スライドショーパラメータの項目の一例を示す図である。
【図４】（ａ）乃至（ｇ）は、表示画像データ領域の保持内容が変更される様子の一例を示す図である。
【図５】（ａ）及び（ｂ）は、画像表示順テーブルに設定される情報の内容の一例を示す図である。
【図６】スライドショー再生における画面遷移の一例を示す図である。
【図７】スライドショーパラメータに含まれる表示時間を変更した場合における画面遷移の一例を示す図である。
【図８】スライドショーパラメータに含まれる大きさの値を変更した場合における画面遷移の一例を示す図である。
【図９】表示されている電話番号にユーザが触れたときにおける画面遷移の一例を示す図である。
【図１０】一実施形態に係る画像表示装置１における制御部１１により実行される処理の一例を示すフローチャートである。
【図１１】一実施形態に係る画像表示装置１における制御部１１のスライドショー画像表示処理の処理例を示すフローチャートである。
【図１２】一実施形態に係る画像表示装置１における制御部１１のプロフィール合成画像表示処理の処理例を示すフローチャートである。
【図１３】一実施形態に係る画像表示装置１における制御部１１の電話通信処理の処理例を示すフローチャートである。
【発明を実施するための形態】
【００２６】
以下、本発明の実施形態を図面に基づいて説明する。なお、以下に説明する実施の形態は、画像表示装置に対して本発明を適用した場合の実施形態である。
【００２７】
［１．画像表示装置の構成等］
始めに、図１等を参照して、本発明の実施形態に係る画像表示装置１の構成及び機能について説明する。
【００２８】
画像表示装置１は、画像表示機能及び電話機能を有する。この画像表示機能において、画像表示装置１は、スライドショー再生機能を有する。スライドショー再生機能とは、所定の時間間隔毎に画像を切り替えながら複数の画像を表示する機能をいう。
【００２９】
また、画像表示装置１は、スライドショー再生中にユーザが人物の顔の画像（対象画像の一例）に指等で接触すると、その人物のプロフィール情報（属性情報の一例）を表示する。プロフィール情報とは、人物に関する情報である。
【００３０】
図１は、本実施形態に係る画像表示装置１の概要構成の一例を示すブロック図である。
【００３１】
図１に示すように、画像表示装置１は、制御部１１、記憶部１２（記憶手段の一例）、ディスプレイ１３、タッチパネル１４（接触位置検出手段の一例）、マイク１５、スピーカ１６、及び電話通信Ｉ／Ｆ１７を備えている。制御部１１と各部とは、バス１８を介して相互に接続されている。また、制御部１１、マイク１５、スピーカ１６、及び電話通信Ｉ／Ｆ１７は、本発明の外部通信手段の一例を構成する。このような構成の画像表示装置１としては、例えば、デジタルフォトフレーム装置、ＰＤＡ（Personal Digital Assistant）等を適用可能である。
【００３２】
ディスプレイ１３は、表示画面を有する液晶ディスプレイパネル等により構成されており、画像や文字等の情報を表示する。
【００３３】
タッチパネル１４は、ディスプレイ１３の表示画面に重ねて配置され、接触を検出する。具体的に、タッチパネル１４は、ユーザが指やペン等でディスプレイ１３の表示画面に接触すると、これを検出し、当該表示画面上の接触位置を示す位置情報を制御部１１に出力する。この位置情報には、表示画面上における座標（Ｘ，Ｙ）を示す情報が含まれる。
【００３４】
マイク１５及びスピーカ１６は、図示しない送受話器に備えられている。マイク１５は、ユーザの発話音声等を音声信号に変換し、この音声信号を制御部１１に出力する。スピーカ１６は、制御部１１から供給された音声信号に対応する音を拡声する。
【００３５】
電話通信Ｉ／Ｆ１７は、例えば、電話回線を介して電話公衆網に接続されており、制御部１１と電話公衆網における交換機との通信のインターフェース処理を行う。
【００３６】
記憶部１２は、例えば、不揮発性半導体メモリ（例えば、フラッシュＲＯＭ）やハードディスクドライブ等により構成されている。或いは、記憶部１２は、画像表示装置１に対して着脱可能なフラッシュメモリカードと、フラッシュメモリカードに対してデータを読み書きするメモリカードドライブ等により構成されても良い。
【００３７】
この記憶部１２には、例えば、ＯＳ（オペレーティングシステム）、アプリケーションプログラム、及び、スライドショー再生プログラム（本発明の表示プログラムの一例）が記憶されている。
【００３８】
また、記憶部１２には、アドレス帳ＤＢ（データベース）が構築されている。アドレス帳ＤＢは、例えば、ユーザによって登録された人物（以下、「登録者」という）に関する情報が登録されるデータベースである。
【００３９】
図２は、アドレス帳ＤＢに登録される情報の内容の一例を示す図である。図２に示すように、アドレス帳ＤＢには、登録者の識別情報としての登録ＩＤ、登録者のプロフィール情報、及び登録者の顔画像データ（対象識別データの一例）が、登録者毎に対応付けて登録されている。
【００４０】
プロフィール情報は、登録者に関する情報である。プロフィール情報の内容は、登録者に関する情報であれば、如何なるものであっても良い。例えば、プロフィール情報には、登録者の名前、性別、電話番号（電話番号情報の一例）、住所、電子メールアドレス、所属する会社や学校の名称等の項目が含まれる。また、プロフィール情報の全ての項目が登録されている必要はなく、一部の項目のみ登録されても良い。
【００４１】
顔画像データは、登録者の顔の画像のデータである。この顔画像データは、スライドショー再生が行われている際に、登録者の顔の画像がディスプレイ１３に表示されているか否かの識別に用いられる。なお、登録者の顔の画像がディスプレイ１３に表示されているかを識別するための情報は、顔画像データ以外であっても良い。例えば、登録者の顔画像から予め目、鼻、口等の特徴点を抽出しておき、これらの特徴点を結ぶ顔グラフをアドレス帳ＤＢに登録しておいても良い。
【００４２】
また、記憶部１２には、画像データ、スライドショー画像リスト、スライドショーパラメータ（スライドショー動作情報の一例）が記憶されている。
【００４３】
スライドショー画像リストは、スライドショー再生に用いられる表示対象の画像データ及び画像データの再生順（表示順）を規定する情報である。例えば、スライドショー画像リストには、表示対象の画像データの識別情報（例えば、画像データのファイル名等）が、表示順に従って設定されている。表示対象の画像データ及び画像データの再生順は、例えば、ユーザにより設定することができる。
【００４４】
スライドショーパラメータは、スライドショー再生時の動作を規定する情報である。このスライドショーパラメータに従って、制御部１１がスライドショー再生の際の画像表示を制御する。
【００４５】
図３は、スライドショーパラメータの項目の一例を示す図である。
【００４６】
図３に示すように、スライドショーパラメータには、表示時間、大きさ、透過度、エフェクト種別、及びエフェクト速度の５つのパラメータが含まれている。表示時間及びエフェクト種別は、本発明の時間情報の一例である。また、大きさ、透過度及びエフェクト種別は、本発明のエフェクト情報の一例である。
【００４７】
表示時間は、一つの画像を表示している時間を示す。つまり、表示時間は、画像の切り替え間隔の時間を示す。
【００４８】
大きさは、画像の表示拡大率を示す。例えば、大きさの値が１である場合は、画像は拡大表示されず、元の画像全体がディスプレイ１３に表示される。また、大きさの値が１より大きい場合には、この大きさの値に応じて画像が拡大表示され、元の画像の一部がディスプレイ１３に表示される。
【００４９】
透過度は、ディスプレイ１３に表示されている画像にプロフィール情報を重ねて表示する際の、プロフィール情報の透過率を示す。つまり、透過度は、プロフィール情報を通して、プロフィール情報の背後にある画像がどの程度透けて見えるかを示す。
【００５０】
本実施形態においては、画像を切り替える際に、画像に対して視覚効果としてのエフェクト処理を施す。このときのエフェクトを、以下「切替エフェクト」という。エフェクト種別は、この切替エフェクトの種類を示す。切替エフェクト処理は、例えば、切り替え前の画像と切り替え後の画像の双方に施されるものであっても良いし、いずれか一方のみに施されるものであっても良い。エフェクト種別としては、例えば、フェードイン／フェードアウト、スライド、ランダムブロック、ワイプ、エフェクトなし等がある。
【００５１】
エフェクト速度は、切替エフェクトによる画像の変化速度を示す。このエフェクト速度は、例えば、切替エフェクトの開始から終了までに要する時間（以下、「エフェクト時間」という）で示されても良い。エフェクト時間が短いほどエフェクト速度は速く、エフェクト時間が長いほどエフェクト速度は遅い。
【００５２】
スライドショーパラメータは、例えば、予め設定されていても良いし、ユーザのタッチパネル１４の操作により設定されるようにしても良い。
【００５３】
制御部１１は、ＣＰＵ（Central Processing Unit）、ＲＡＭ（Random Access Memory）、ＲＯＭ（Read Only Memory）等により構成されている。そして、制御部１１は、ＣＰＵが、記憶部１２やＲＯＭに記憶されている各種プログラムを読み出し実行することにより、各種処理を実行する。特に、制御部１１は、スライドショー再生プログラム等に従って、表示制御手段、識別対象表示判断手段、スライドショー動作情報設定手段、電話番号情報含有判断手段、電話番号情報表示判断手段、通信制御手段、及び等として機能する。以下、これら各手段としての制御部１１の機能について説明する。
【００５４】
［１．１  スライドショー再生及びプロフィール情報表示の概要］
表示制御手段としての制御部１１は、スライドショー再生処理を行う。スライドショー再生処理の実行中にタッチパネル１４が接触を検出したとき、識別対象表示判断手段としての制御部１１は、検出された接触位置を含み且つ当該接触位置から所定範囲内に、登録者の顔画像が表示されているか否かを判断する。
【００５５】
例えば、制御部１１は、タッチパネル１４から出力された位置情報に基づいて、ディスプレイ１３に表示されている画像のうち、接触位置を中心とした矩形範囲であって縦横の長さが所定ピクセル数の矩形範囲の画像を、顔認識処理を行う顔認識範囲として定める。そして、制御部１１は、顔認識処理を行い、顔認識範囲に人物の顔が表示されているか否かを判断する。このとき、制御部１１は、顔認識範囲に人物の顔が表示されていると判断すると、顔認識範囲に表示されている顔画像とアドレス帳ＤＢに登録されている各顔画像とを照合することにより、顔認識範囲に表示されている人物を特定する。例えば、制御部１１は、顔認識範囲に表示されている顔画像とアドレス帳ＤＢに登録されている各顔画像とを照合して類似性の有無を判断し、当該類似性がある顔画像に対応する登録者の顔が顔認識範囲に表示されていると特定する。
【００５６】
ここで、類似性有無の判断手法は、公知であるので詳しい説明を省略するが、例えば、上記認識された顔画像から顔の特徴をよく表す顔特徴点（例えば、目、鼻、口等）が抽出され、これらの特徴点を結ぶ顔グラフが作成される。そして、作成された顔グラフと、アドレス帳ＤＢに登録された顔画像に基づき上記と同じように作成された顔グラフとの一致度の割合が算出され、その割合が所定値以上である場合に、類似性有と判断される。
【００５７】
なお、上記のような顔画像等を用いた顔認識処理により登録者の顔画像が表示されているか否かを判断する以外にも、座標情報等に基づいて、表示されている登録者を識別することもできる。例えば、画像上に或る人物の顔が写っている場合、その人物の顔が写っている画像上の座標情報と、当該人物の登録ＩＤとを、画像データに対応付けて記憶部１２に記憶させておく。そして、スライドショー再生処理においてタッチパネル１４が接触を検出したとき、制御部１１は、表示されている画像データに対応する座標情報に基づいて、接触位置から所定範囲内に人物の顔が表示されているか否かを判断する。そして、制御部１１は、接触位置から所定範囲内に人物の顔が表示されている場合、対応する登録ＩＤを取得する。これによって、ユーザが触れた場所に表示されている人物を特定することができる。
【００５８】
検出された接触位置を含み且つ当該接触位置から所定範囲内に登録者の顔画像が表示されている場合、表示制御手段としての制御部１１は、登録者の顔画像が表示されている画面上に、この登録者のプロフィール情報を表示する。より詳細に、制御部１１は、顔認識範囲に表示されている顔画像と類似性があると判断された（アドレス帳ＤＢに登録されている方の）顔画像データに対応するプロフィール情報をアドレス帳ＤＢから取得する。次いで、制御部１１は、取得したプロフィール情報の表示イメージ（ビットマップイメージ）を作成する。そして、制御部１１は、現在表示している画像とプロフィール情報の表示イメージとを合成して、ディスプレイ１３に表示させる。ここで、制御部１１は、人物の画像が表示されている領域以外の領域にプロフィール情報が表示されるように、画像合成を行う。つまり、制御部１１は、人物の画像にプロフィール情報の表示イメージが重ならないようにする。
【００５９】
［１．２  スライドショー再生における画像の切り替え制御］
制御部１１は、スライドショー再生処理において画像の切り替え表示を高速に行うため、以下に説明する画像切り替え制御を行う。この画像切り替え制御には、表示画像データ領域及び画像表示順テーブルが用いられる。
【００６０】
図４（ａ）乃至（ｇ）は、表示画像データ領域の保持内容が変更される様子の一例を示す図である。また、図５（ａ）及び（ｂ）は、画像表示順テーブルに設定される情報の内容の一例を示す図である。また、図６は、スライドショー再生における画面遷移の一例を示す図である。
【００６１】
図４（ａ）に示すように、表示画像データ領域は、複数の画像データが保持される領域である。表示画像データ領域は、複数の画像ブロックに区分けされており、各画像ブロックに一つずつ画像データが保持されるようになっている。表示画像データ領域は、ＲＡＭ上に確保される。この表示画像データ領域に、表示対象の画像データを予め保持しておくことにより、画像切り替えの度に記憶部１２から画像データを読み出した場合と比較して、高速に切り替えを行うことができる。
【００６２】
例えば、図４（ａ）に示す例では、表示画像データ領域は、アドレスが０００１〜０００５の５個の画像ブロックに区分けされている。これらの画像ブロックのうち、アドレスが０００１〜０００４の画像ブロックは、通常のスライドショー再生に用いられるブロックであり、アドレスが０００５の画像ブロックは、予備ブロックである。この予備ブロックには、通常は画像データは保持されず、プロフィール情報を表示する必要があるときに、現在表示されている画像とプロフィール情報の表示イメージとが合成された画像データが保持される。なお、表示画像データ領域には、各画像データがビットマップイメージに展開された状態で保持されるようにしても良い。
【００６３】
図５（ａ）に示すように、画像表示順テーブルには、画像の表示順に対応して、表示対象となる画像データが保持される画像ブロックのアドレスが設定される。例えば、スライドショー画像リストに、画像Ａ、画像Ｂ、画像Ｃ、画像Ｄ、画像Ｅ及び画像Ｆの６個の画像が表示順に設定されているとき、画像表示順テーブルにも、画像ブロックのアドレスを保持する領域が６個分確保される。そして、表示順が１番目から順に、画像ブロックのアドレス０００１、０００２、０００３、０００４と、画像表示順テーブルに保持される。画像ブロックのアドレス０００４まで保持されると、その次の表示順から、また画像ブロックのアドレス０００１、０００２と、画像表示順テーブルに保持される。
【００６４】
スライドショー再生開始する前に、制御部１１は、図４（ｂ）に示すように、表示画像データ領域に、表示順が１番目の画像データから４番目の画像データまでを保持する。具体的には、アドレス０００１の画像ブロックには画像Ａが保持され、アドレス０００２の画像ブロックには画像Ｂが保持され、アドレス０００３の画像ブロックには画像Ｃが保持され、アドレス０００４の画像ブロックには画像Ｄが保持される。保持される画像データは、スライドショー画像リストによって決定され、画像データが保持される画像ブロックのアドレスは、画像表示順テーブルによって決定される。
【００６５】
スライドショー再生が開始すると、制御部１１は、画像表示順テーブルの１番目の表示順に保持されているアドレスを取得する。取得されるアドレスは０００１であるので、制御部１１は、アドレス０００１の画像ブロックに保持されている画像Ａを読み出し、図６（１）に示すようにディスプレイ１３に表示させる。このときの表示画像データ領域の状態は、図４（ｃ）に示すとおりである。
【００６６】
表示時間が経過すると、制御部１１は、画像切り替えを行う。具体的に、制御部１１は、画像表示順テーブルの２番目の表示順に保持されているアドレスを取得する。取得されるアドレスは０００２であるので、制御部１１は、アドレス０００２の画像ブロックに保持されている画像Ｂを読み出し、図６（２）に示すようにディスプレイ１３に表示させる。これと同時に、制御部１１は、図４（ｄ）に示すように、画像表示順テーブル及びスライドショー画像リストに基づいて、表示順が５番目の画像Ｅをアドレス０００１の画像ブロックに保持する。
【００６７】
表示された画像Ｂは、人物の画像を含む画像であるとする。ここで、図６（３）に示すように、画像が切り替わってから表示時間が経過する前に、表示されている人物の顔の画像にユーザが指等で接触したとする。すると、表示されている人物の顔画像データがアドレス帳ＤＢに登録されている場合、制御部１１は、画像Ｂと、この人物のプロフィール情報の表示イメージとを合成して画像Ｂ’を作成する。そして、制御部１１は、この画像Ｂ’を、図４（ｅ）に示すように予備ブロックに保持する。また、制御部１１は、画像Ｂの表示の次に、画像Ｂ’の表示を割り込ませる。具体的に、制御部１１は、図５（ｂ）に示すように、画像表示順テーブルにおいて、画像Ｂの表示順の次の表示順である３番目の位置に、画像ブロックのアドレス０００５を挿入する。また、制御部１１は、画像Ｃ〜画像Ｆの表示順を夫々繰り下げる。
【００６８】
そして、制御部１１は、画像切り替えを行う。具体的に、制御部１１は、画像表示順テーブルの３番目の表示順に保持されているアドレスを取得する。取得されるアドレスは０００５であるので、制御部１１は、予備ブロックに保持されている画像Ｂ’を読み出し、図６（４）に示すようにディスプレイ１３に表示させる。このとき、ディスプレイ１３には、人物に関するプロフィール情報（符号１００）が表示される。このときの表示画像データ領域の状態は、図４（ｆ）に示すとおりである。
【００６９】
このように、本実施形態においては、プロフィール情報の表示イメージを含む画像を作成し、作成した画像をスライドショー再生の画像切り替えによって表示させることで、プロフィール情報を表示させる。つまり、スライドショー再生における表示対象の画像に、プロフィール情報の表示イメージを含む画像が追加される。
【００７０】
画像が切り替わってから表示時間が経過すると、制御部１１は、画像切り替えを行う。具体的に、制御部１１は、画像表示順テーブルの４番目の表示順に保持されているアドレスを取得する。図５（ｂ）に示すように、取得されるアドレスは０００３であるので、制御部１１は、アドレス０００３の画像ブロックに保持されている画像Ｃを読み出し、図６（５）に示すようにディスプレイ１３に表示させる。これと同時に、制御部１１は、図４（ｇ）に示すように、画像表示順テーブル及びスライドショー画像リストに基づいて、表示順が７番目の画像Ｆをアドレス０００２の画像ブロックに保持する。
【００７１】
以下同様にして、制御部１１は、表示順が５番目の画像Ｄから７番目の画像Ｆを表示すると、スライドショー再生を終了させる。なお、画像Ｆが表示された後、表示順が１番目の画像Ａから繰り返しスライドショー再生を継続させるようにしてもかまわない。その場合には、表示順が３番目に挿入された画像Ｂ’の情報を、画像表示順テーブルから削除しておく必要がある。
【００７２】
［１．３  スライドショーパラメータを用いたスライドショー再生処理］
スライドショー動作情報設定手段としての制御部１１は、スライドショー再生処理を開始させる際に、スライドショーパラメータを設定する。制御部１１は、設定されたスライドショーパラメータに基づいて、スライドショー再生処理を実行する。
【００７３】
例えば、制御部１１は、スライドショーパラメータに含まれる表示時間に基づいて、スライドショー切替タイマーを設定する。制御部は、このスライドショー切替タイマーに設定された時間が経過すると、スライドショー切替要求イベント（以下、「スライドショー切替要求」という）を発生させる。このスライドショー切替要求が発生したときに、制御部１１は、スライドショー再生の画像の切り替え処理を行う。
【００７４】
また、制御部１１は、スライドショーパラメータに含まれる大きさの値に基づいて、画像の拡大処理を行う。例えば、制御部１１は、画像データを表示画像データ領域に保持する際に、記憶部１２から画像データを読み出して、この画像データのビットマップイメージをＲＡＭ上に展開する。制御部１１は、大きさの値が示す拡大率に応じて、展開されたビットマップイメージから、実際にディスプレイ１３に表示させる範囲を抽出する。そして、制御部１１は、抽出した範囲の画像データを表示画像データ領域に保持する。大きさの値が示す拡大率が大きいほど抽出される範囲が狭くなり、抽出される範囲が狭くなるほど画像が拡大表示されることとなる。表示画像データ領域に保持された画像データは、スライドショー切替要求の発生によって、大きさの値が示す拡大率でディスプレイ１３に表示される。
【００７５】
また、制御部１１は、スライドショーパラメータに含まれるエフェクト種別とエフェクト速度とを取得とに基づいて、切替エフェクト処理を施しながら画像を切り替える。
【００７６】
［１．４  スライドショーパラメータの変更］
制御部１１は、プロフィール情報を含む画像を表示する場合には、スライドショーパラメータを変更する。この変更は、ユーザがプロフィール情報を確実に確認することを可能にしたり、プロフィール情報が表示されている人物の画像を確実に確認すること等を可能にするために行われる。以下、スライドショーパラメータの変更例について、具体的に説明する。
【００７７】
図７は、スライドショーパラメータに含まれる表示時間を変更した場合における画面遷移の一例を示す図である。例えば、表示時間を、通常のスライドショー再生時には５秒とし、プロフィール情報を含む画像を表示する場合には１０秒とする。
【００７８】
スライドショーの再生が開始され、図７（１）に示すように、最初の画像が表示される。一定時間、すなわち、通常のスライドショー再生時における表示時間である５秒が経過すると、図７（２）に示すように、次の画像に表示が切り替わる。更に５秒が経過すると、図７（３）に示すように、次の画像に表示が切り替わる。
【００７９】
このとき、ディスプレイ１３には、人物の顔の画像が表示されているとする。ここで、図７（４）に示すように、画像が切り替わってから５秒が経過する前に、表示されている人物の顔の画像にユーザが指等で接触したとする。すると、図７（５）に示すように、プロフィール情報の含む画像に表示が切り替わる。このプロフィール情報の含む画像は、図７（６）に示すように、通常補表示時間よりも長い時間、すなわち、１０秒間表示させる。そして、１０秒経過すると、図７（７）に示すように、次の画像に表示が切り替わる。その後は、５秒経過する毎に、画像が切り替わる。このように、表示時間を通常よりも長くすることで、ユーザがプロフィール情報をゆっくりと確認することができる。
【００８０】
図８は、スライドショーパラメータに含まれる大きさの値を変更した場合における画面遷移の一例を示す図である。例えば、大きさの値を、通常のスライドショー再生時には１とし、プロフィール情報を含む画像を表示する場合には、１より大きい値とする。
【００８１】
図８（１）に示すように、ディスプレイ１３には、人物の顔の画像を含む画像が表示されている。通常のスライドショー再生時における大きさの値は１であるので、画像は通常の大きさで表示される。つまり、画像は拡大表示されない。このとき、図８（２）に示すように、表示されている人物の顔の画像にユーザが指等で接触する。すると、図８（３）に示すように、接触した場所付近の画像が拡大されて表示され、表示されている人物のプロフィール情報が表示される。このときの画像の拡大率は、プロフィール情報を含む画像を表示する場合の大きさの値による。大きさの値を通常よりも大きくすることで、プロフィール情報が表示されている人物を詳細に確認することができる。
【００８２】
また、プロフィール情報を含む画像を表示する際にはプロフィール情報を透過して表示することで、プロフィール情報の背後の画像も確認することができる。また、プロフィール情報を含む画像からプロフィール情報を含まない画像に切り替える際に施される切替エフェクトのエフェクト種別を、画像を最後までしっかり確認することができるような切替エフェクトに変更することで、ユーザがプロフィール情報を確実に確認することができる。また、プロフィール情報を含む画像からプロフィール情報を含まない画像に切り替える際に施される切替エフェクトのエフェクト速度を通常よりも遅くしてエフェクト時間を長くすることで、ユーザがプロフィール情報を確実に確認することができる。
【００８３】
本実施形態においては、スライドショーパラメータの各パラメータの値を実際に変更する代わりに、２つのスライドショーパラメータを用意する。一方は、通常のスライドショー再生時に用いられるスライドショーパラメータであり、もう一方は、プロフィール情報を含む画像を表示する際に用いられるスライドショーパラメータである。前者を、「通常スライドショーパラメータ」といい、後者を、「プロフィール表示用スライドショーパラメータ」という。この通常スライドショーパラメータとプロフィール表示用スライドショーパラメータ（スライドショー動作変更情報の一例）を記憶部１２に記憶しておく。そして、制御部１１は、状況に応じて通常スライドショーパラメータ、又はプロフィール表示用スライドショーパラメータを参照する。
【００８４】
［１．５  スライドショー再生中の電話発信］
スライドショー再生中に電話番号を含むプロフィール情報がディスプレイ１３に表示されているとき、表示されている電話番号にユーザが指等で接触すると、制御部１１は、電話発信を行う。
【００８５】
図９は、表示されている電話番号にユーザが触れたときにおける画面遷移の一例を示す図である。
【００８６】
スライドショー再生中、電話番号を含むプロフィール情報が表示されているとき、図９（１）に示すように、表示されている電話番号にユーザが指等で接触する。ユーザが画面に触れたとき、電話番号情報含有判断手段としての制御部１１は、表示されているプロフィール情報に電話番号が含まれているか否かを判断する。この判断は、アドレス帳ＤＢを参照することにより行われる。
【００８７】
表示されているプロフィール情報に電話番号が含まれている場合、電話番号情報表示判断手段としての制御手段は、タッチパネル１４により検出された接触位置に電話番号が表示されているか否かを判断する。
【００８８】
そして、タッチパネル１４により検出された接触位置に電話番号が表示されている場合、通信制御手段としての制御部１１は、マイク１５、スピーカ１６及び電話通信Ｉ／Ｆ１７を制御して、通信を行う。具体的に、制御部１１は、表示されている電話番号を相手先電話番号として発信する。例えば、制御部１１は、表示されている電話番号を含む選択信号を電話通信Ｉ／Ｆ１７を介して送信する。このとき、図９（２）に示すように、ディスプレイ１３に表示されている画像は切り替わらない。ディスプレイ１３には、発信先の相手の顔の画像とプロフィール情報が引き続き表示される。また、ディスプレイ１３には、例えば、「発信中」のメッセージが表示される。
【００８９】
そして、制御部１１は、電話通信Ｉ／Ｆ１７を介して応答信号を受信すると、通話状態に移行する。通話状態おいて、制御部１１は、マイク１５により集音されたユーザの音声を取り込み、その音声信号を電話通信Ｉ／Ｆ１７及び電話回線を介して交換機に送信する一方、制御部１１は、交換機から電話回線を介して送信されてきた音声信号（電話相手の音声信号）を電話通信Ｉ／Ｆ１７を介して受信し、当該音声信号をスピーカ１６に出力する。これにより、ユーザは、画面に顔の画像とプロフィール情報が表示されている人物と通話することができる。通話中においても、図９（３）に示すように、ディスプレイ１３に表示されている画像は切り替わらない。また、ディスプレイ１３には、例えば、「通話中」のメッセージが表示される。このように、制御部１１は、通話中は画像の切り替えを行わない。つまり、制御部１１は、スライドショー再生処理を一時停止させる。
【００９０】
その後、通話が終了して回線が切断されると、制御部１１は、スライドショー再生処理を再開させる。これにより、図９（４）に示すように、次の画像が表示される。
【００９１】
［２．画像表示装置の動作］
次に、図１０乃至図１３を参照して、本実施形態に係る画像表示装置１の動作について説明する。
【００９２】
図１０は、本実施形態に係る画像表示装置１における制御部１１により実行される処理の一例を示すフローチャートである。
【００９３】
図１０に示す処理は、例えば、ユーザがタッチパネル１４を操作してスライドショー再生を要求することによってスライドショー再生プログラムが起動したときに開始される。先ず、制御部１１は、ＲＡＭ上に表示画像データ領域を確保し、この表示画像データ領域に画像データを保持する（ステップＳ１）。このとき、制御部１１は、スライドショー画像リストに規定されている表示順に従って、各画像データを記憶部１２から読み出して夫々所定の画像ブロックに保持する。またこのとき、制御部１１は、通常スライドショーパラメータに含まれる大きさの値を参照して、表示画像データ領域に保持する画像データの拡大率を決定する。制御部１１は、この拡大率に基づいて画像を拡大表示させる場合には、画像データから拡大表示させる範囲を抽出し、抽出した範囲の画像データを表示画像データ領域に保持する。
【００９４】
次いで、制御部１１は、ＲＡＭ上に画像表示順テーブルを作成し、この画像表示順テーブルに画像の表示順の情報を保持する（ステップＳ２）。
【００９５】
次いで、制御部１１は、スライドショーの再生を開始させる（ステップＳ３）。具体的に、制御部１１は、表示順を１番に設定する。また、制御部１１は、画像表示順テーブルから、設定された表示順である１番に対応するアドレスを取得する。このとき、取得されるアドレスは０００１であるので、制御部１１は、表示画像データ領域のアドレス０００１の画像ブロックに保持されている画像データを読み出して、ディスプレイ１３に表示させる。また、制御部１１は、通常スライドショーパラメータに含まれる表示時間をスライドショー切替タイマーに設定する。スライドショー切替タイマーに設定された時間が経過すると、スライドショー切替要求が発生する。
【００９６】
次いで、制御部１１は、スライドショー切替要求が発生したか否かを判断する（ステップＳ４）。このとき、制御部１１は、スライドショー切替要求が発生した場合には（ステップＳ４：ＹＥＳ）、スライドショー再生における次の画像が存在するか否かを判断する（ステップＳ５）。具体的に、制御部１１は、表示順を１増加させる。そして、制御部１１は、表示順に対応する情報が画像表示順テーブルに設定されているか否かを判断する。ここで、表示順に対応する情報が画像表示順テーブルに設定されている場合は、次の画像は存在すると判断され、表示順に対応する情報が画像表示順テーブルに設定されていない場合は、次の画像は存在しないと判断される。
【００９７】
そして、制御部１１は、次の画像が存在する場合には（ステップＳ５：ＹＥＳ）、スライドショー画像表示処理を実行する（ステップＳ６）。スライドショー画像表示処理では、画像の切り替え表示が行われる。このスライドショー画像表示処理の詳細は後述する。制御部１１は、この処理を終えると、ステップＳ４に移行する。
【００９８】
ステップＳ４において、制御部１１は、スライドショー切替要求が発生していない場合には（ステップＳ４：ＮＯ）、ディスプレイ１３に表示されている画像が触れられたか否かを判断する（ステップＳ７）。例えば、制御部１１は、タッチパネル１４から位置情報が出力されたか否かを判断する。位置情報が出力された場合には、表示されている画像が触れられたと判断され、位置情報が出力されていない場合には、表示されている画像が触れられていないと判断される。制御部１１は、ディスプレイ１３に表示されている画像が触れられていない場合には（ステップＳ７：ＮＯ）、ステップＳ４に移行する。
【００９９】
一方、制御部１１は、ディスプレイ１３に表示されている画像が触れられた場合には（ステップＳ７：ＹＥＳ）、触れられた位置から所定の範囲内に顔画像が存在するか否かを判断する（ステップＳ８）。具体的に、制御部１１は、タッチパネル１４から出力された位置情報が示す接触位置を中心とする所定範囲の矩形領域内の画像に対して顔認識処理を行う。
【０１００】
そして、制御部１１は、触れられた位置から所定の範囲内に顔画像が存在する場合には（ステップＳ８：ＹＥＳ）、ディスプレイ１３に表示されている画像から顔画像を抽出する（ステップＳ９）。次いで、制御部１１は、抽出した顔画像と、アドレス帳ＤＢに登録されている顔画像とを照合する（ステップＳ１０）。
【０１０１】
次いで、制御部１１は、抽出した顔画像が示す人物と一致する登録者が存在するか否かを判断する（ステップＳ１１）。例えば、制御部１１は、照合によって顔画像の一致度が所定値以上となる登録者が存在するか否かを判断する。このとき、制御部１１は、抽出した顔画像が示す人物と一致する登録者が存在しない場合には（ステップＳ１１：ＮＯ）、ステップＳ４に移行する。
【０１０２】
一方、制御部１１は、抽出した顔画像が示す人物と一致する登録者が存在する場合には（ステップＳ１１：ＹＥＳ）、一致した人物のプロフィール情報をアドレス帳ＤＢから取得する（ステップＳ１２）。
【０１０３】
次いで、制御部１１は、プロフィール合成画像表示処理を実行する（ステップＳ１３）。プロフィール合成画像表示処理では、取得されたプロフィール情報と、ディスプレイ１３に表示されている画像が合成され、合成された画像がディスプレイ１３に表示される。このプロフィール合成画像表示処理の詳細は後述する。制御部１１は、この処理を終えると、ステップＳ４に移行する。
【０１０４】
ステップＳ８において、制御部１１は、触れられた位置から所定の範囲内に顔画像が存在しない場合には（ステップＳ８：ＮＯ）、ディスプレイ１３にプロフィール情報が表示されているか否かを判断する（ステップＳ１４）。例えば、制御部１１は、画像表示順テーブルから現在の表示順に対応するアドレスを参照し、参照したアドレスが予備ブロックを指す場合には、プロフィール情報が表示されていると判断する。そして、制御部１１は、ディスプレイ１３にプロフィール情報が表示されていない場合には（ステップＳ１４：ＮＯ）、ステップＳ４に移行する。
【０１０５】
一方、制御部１１は、ディスプレイ１３にプロフィール情報が表示されている場合には（ステップＳ１４：ＹＥＳ）、表示されているプロフィール情報に電話番号が含まれているか否かを判断する（ステップＳ１５）。具体的に、制御部１１は、ステップＳ１２においてアドレス帳ＤＢから取得されたプロフィール情報中に、電話番号が設定されているか否かを判断する。そして、制御部１１は、表示されているプロフィール情報に電話番号が含まれていない場合には（ステップＳ１５：ＮＯ）、ステップＳ４に移行する。
【０１０６】
一方、制御部１１は、表示されているプロフィール情報に電話番号が含まれている場合には（ステップＳ１５：ＹＥＳ）、触れられた位置に電話番号が表示されているか否かを判断する（ステップＳ１６）。例えば、制御部１１は、タッチパネル１４から出力された位置情報が示す接触位置が、プロフィール情報の表示領域のうち電話番号が表示されている領域内であるか否かを判定する。このとき、制御部１１は、触れられた位置に電話番号が表示されていない場合には（ステップＳ１６：ＮＯ）、ステップＳ４に移行する。
【０１０７】
一方、制御部１１は、触れられた位置に電話番号が表示されている場合には（ステップＳ１６：ＹＥＳ）、電話通信処理を実行する（ステップＳ１７）。電話通信処理では、表示されている電話番号を相手先電話番号として電話発信が行われる。この電話通信処理の詳細は後述する。制御部１１は、この処理を終えると、ステップＳ４に移行する。
【０１０８】
制御部１１は、ステップＳ５において、スライドショー再生における次の画像が存在しない場合には（ステップＳ５：ＮＯ）、図１０に示す処理を終了させる。
【０１０９】
図１１は、本実施形態に係る画像表示装置１における制御部１１のスライドショー画像表示処理の処理例を示すフローチャートである。
【０１１０】
スライドショー画像表示処理が開始すると、制御部１１は、先ず、画像表示順テーブルから、次に表示する画像ブロックのアドレスを取得する（ステップＳ１０１）。具体的に、制御部１１は、現在の表示順に対応するアドレスを画像表示順テーブルから取得する。
【０１１１】
次いで、制御部１１は、画像切り替え前の現在表示している画像がプロフィール情報を含むか否かを判断する（ステップＳ１０２）。このとき、制御部１１は、現在表示している画像がプロフィール情報を含まない場合には（ステップＳ１０２：ＮＯ）、通常スライドショーパラメータからエフェクト種別とエフェクト速度とを取得する（ステップＳ１０３）。一方、制御部１１は、現在表示している画像がプロフィール情報を含む場合には（ステップＳ１０２：ＹＥＳ）、プロフィール表示用スライドショーパラメータからエフェクト種別とエフェクト速度とを取得する（ステップＳ１０４）。
【０１１２】
制御部１１は、ステップＳ１０３又はＳ１０４においてエフェクト種別とエフェクト速度とを取得すると、画像表示順テーブルから取得されたアドレスが指す画像ブロックに保持されている画像を表示する（ステップＳ１０５）。このとき、制御部１１は、取得したエフェクト種別とエフェクト速度とに基づいて、切替エフェクト処理を施しながら画像を切り替えて表示を行う。
【０１１３】
制御部１１は、画像を切り替えた後、現在表示されている表示している画像がプロフィール情報を含むか否かを判断する（ステップＳ１０６）。このとき、制御部１１は、現在表示している画像がプロフィール情報を含まない場合には（ステップＳ１０６：ＮＯ）、通常スライドショーパラメータから大きさの値を取得する（ステップＳ１０７）。
【０１１４】
次いで、制御部１１は、画像表示順テーブルから取得したアドレスの一つ前のアドレス（以下、「直前アドレス」という）の画像ブロックに、画像データを保持する（ステップＳ１０８）。つまり、制御部１１は、画像の切替によって画像表示が終わった画像ブロックに、画像データを保持する。ここで、画像表示順テーブルから取得されたアドレスが０００１である場合、直前アドレスとは、予備ブロックのアドレスを除いた最終のアドレスである。例えば、図４に示す例の場合には、アドレス０００４が該当する。制御部１１は、例えば画像表示順テーブルにおいて、現在の表示順の次の表示順から後ろに向かって、直前アドレスを検索する。制御部１１は、直前アドレスを発見すると、この直前アドレスが保持されている表示順に対応する画像データを記憶部１２から読み出す。そして、制御部１１は、読み出した画像データを、直前アドレスが指す画像ブロックに保持する。このとき、制御部１１は、取得した大きさの値に応じて、読み出した画像データに拡大処理を行う。
【０１１５】
次いで、制御部１１は、通常スライドショーパラメータから表示時間を取得する（ステップＳ１０９）。
【０１１６】
一方、ステップＳ１０６において、制御部１１は、ステップＳ１０６において現在表示している画像がプロフィール情報を含む場合には（ステップＳ１０６：ＹＥＳ）、プロフィール表示用スライドショーパラメータから表示時間を取得する（ステップＳ１１０）。
【０１１７】
制御部１１は、ステップＳ１０９又はＳ１１０において表示時間を取得すると、この表示時間をスライドショー切替タイマーに設定する。この処理を終えると、制御部１１は、スライドショー画像表示処理を終了させる。
【０１１８】
図１２は、本実施形態に係る画像表示装置１における制御部１１のプロフィール合成画像表示処理の処理例を示すフローチャートである。
【０１１９】
プロフィール合成画像表示処理が開始すると、制御部１１は、先ず、プロフィール表示用スライドショーパラメータから大きさの値と透過度とを取得する（ステップＳ２０１）。
【０１２０】
次いで、制御部１１は、現在表示している画像から、触れられた部分の画像を、取得した大きさの値に応じた範囲で抽出する（ステップＳ２０２）。具体的に、制御部１１は、現在の表示順に対応するアドレスが指す画像ブロックから画像データを取得し、この画像データのビットマップイメージ（画像）をＲＡＭ上に展開する。そして、制御部１１は、展開した画像から、タッチパネル１４から出力された位置情報が示す座標を中心とする矩形領域の範囲を抽出する。大きさの値が大きいほど、この矩形領域は小さくなる。
【０１２１】
次いで、制御部１１は、抽出した範囲の画像に、プロフィール情報を合成する（ステップＳ２０３）。具体的に、制御部１１は、図１０に示すステップＳ１２においてアドレス帳ＤＢから取得したプロフィール情報の表示イメージをＲＡＭ上に作成する。そして、制御部１１は、プロフィール情報の表示イメージを、抽出した範囲の画像に重ね合わせる。制御部１１は、このときの重ね合わせ位置を、抽出した範囲の画像に含まれている顔画像にプロフィール情報が重ならない位置に調整する。図１０に示すステップＳ９における顔画像の抽出時に、顔画像が表示されている領域の位置が判明しているので、抽出された範囲のうち顔画像が表示されている以外の領域に、プロフィール情報の表示イメージを重ね合わせれば良い。また、制御部１１は、プロフィール情報の表示イメージを重ね合わせる際、取得した透過率に基づいて透過処理を行う。この透過処理により、透過率が高いほど、重ね合わせが行われた領域の色は、抽出された方の画像の色に近くなり、透過率が低いほど、重ね合わせが行われた領域の色はプロフィール情報の表示イメージの色に近くなる。
【０１２２】
次いで、制御部１１は、合成した画像を表示画像データ領域の予備ブロックに保持する（ステップＳ２０４）。
【０１２３】
次いで、制御部１１は、合成した画像の表示順を、現在表示している画像の次に割り込ませる（ステップＳ２０５）。具体的に、制御部１１は、画像表示順テーブルにおいて、現在の表示順の次の表示順の位置に、予備ブロックのアドレスを挿入する。そして、制御部１１は、画像表示順テーブルにおいて、挿入位置よりも後に設定されているアドレスの表示順を夫々繰り下げる。
【０１２４】
次いで、制御部１１は、スライドショー切替要求を発生させる（ステップＳ２０６）。制御部１１は、この処理を終えると、プロフィール合成画像表示処理を終了させる。スライドショー切替要求の発生によりスライドショー画像表示処理が実行されるので、プロフィール情報を含む画像がディスプレイ１３に表示される。
【０１２５】
図１３は、本実施形態に係る画像表示装置１における制御部１１の電話通信処理の処理例を示すフローチャートである。
【０１２６】
電話通信処理が開始すると、制御部１１は、先ず、スライドショー切替タイマーを停止させる（ステップＳ３０１）。これにより、スライドショー切替要求が発生しなくなる。つまり、スライドショー再生が停止する。
【０１２７】
次いで、制御部１１は、ディスプレイ１３に表示されている電話番号を相手先電話番号として発信する（ステップＳ３０２）。具体的に、制御部１１は、図１０に示すステップＳ１２においてアドレス帳ＤＢから取得されたプロフィール情報から電話番号を取得する。制御部１１は、取得した電話番号を含む選択信号を電話通信Ｉ／Ｆ１７を介して送信する。
【０１２８】
次いで、制御部１１は、電話通信Ｉ／Ｆ１７を介して応答信号を受信すると、回線接続を行い、通話状態に移行する（ステップＳ３０３）。
【０１２９】
次いで、制御部１１は、回線が切断されたか否かを判定する（ステップＳ３０４）。つまり、制御部１１は、ユーザによるオンフックを検出したか、又は、電話通信Ｉ／Ｆ１７を介して切断信号を受信したか否かを判定する。このとき、制御部１１は、回線が切断されていない場合には（ステップＳ３０４：ＮＯ）、引き続き回線の切断を監視する（ステップＳ３０４）。
【０１３０】
一方、制御部１１は、回線が切断された場合には（ステップＳ３０４：ＹＥＳ）、スライドショー切替タイマーの停止を解除する（ステップＳ３０５）。制御部１１は、この処理を終えると、電話通信処理を終了させる。
【０１３１】
以上説明したように、本実施形態によれば、制御部１１が、所定の時間間隔毎に画像を切り替えながらディスプレイ１３に画像を表示するスライドショー再生処理の制御を行い、タッチパネル１４により検出された接触位置を含む所定範囲内に人の顔画像が表示されているか否かを、記憶部１２に構築されたアドレス帳ＤＢに登録されている顔画像データに基づいて判断し、接触位置を含む所定範囲内に人の顔画像が表示されていると判断された場合に、当該人の顔画像が表示されているディスプレイ１３に、記憶部１２に記憶され且つ当該人の顔画像に対応するプロフィール情報を表示する制御を行う。従って、スライドショー再生が行われているときに、人物の顔が表示されている場所にユーザが指等により接触することで、画面に表示されている人物が誰であるのかという情報を簡単な操作で迅速に確認することができる。
【０１３２】
また、制御部１１が、スライドショーパラメータを設定し、接触位置を含む所定範囲内に人の顔画像が表示されていると判断され、当該人の顔画像に対応するプロフィール情報を表示する制御が行われる場合に、スライドショー再生処理に用いるスライドショーパラメータをプロフィール表示用スライドショーパラメータに変更する。従って、スライドショーパラメータを適切に変更することで、ユーザがプロフィール情報やプロフィール情報が表示されている人物を確実に確認することができる。
【０１３３】
特に、人物の顔画像及びプロフィール情報が表示されている画像の表示時間を通常の表示時間よりも長くすることで、ユーザがプロフィール情報が表示されている人物を確実に確認することができる。また、画像の表示拡大率を高くして品物の顔画像を通常よりも大きく表示することで、ユーザが人物を詳細に確認することができる。また、エフェクト種別を、画像を最後までしっかり確認することができるような切替エフェクトに変更することで、ユーザがプロフィール情報やプロフィール情報が表示されている人物を確実に確認することができる。また、エフェクト速度を通常のエフェクト速度よりも遅くすることで、ユーザがプロフィール情報が表示されている人物を確実に確認することができる。
【０１３４】
また、制御部１１が、タッチパネル１４により検出された接触位置を含む所定範囲内に表示されていると判断された人物の顔画像に対応するプロフィール情報に電話番号が含まれているか否かを判断し、電話番号が含まれている場合、タッチパネル１４により検出された接触位置に電話番号情報が表示されているか否かを判断し、接触位置に電話番号情報が表示されている場合に、マイク１５、スピーカ１６及び電話通信Ｉ／Ｆ１７を制御して、表示されている電話番号を相手先電話番号として電話通信を行う。従って、電話番号が表示されている場所にユーザが指等により接触することで、ユーザは、画面に表示されている人物に対して簡単な操作で電話することができる。
【０１３５】
また、制御部１１が、電話発信による回線接続後、回線が切断されたか否かを判断し、回線が切断されていない場合には、スライドショー再生における画像の切り替えを行わない。従って、ユーザは、人物の顔画像とプロフィール情報を見ながらその人物と電話することができる。
【０１３６】
また、制御部１１が、人物の顔画像が表示されている領域以外の領域にプロフィール情報を表示する。従って、ユーザは、プロフィール情報を確認しながら、画面に表示された人物も確実に確認することができる。
【０１３７】
なお、上記実施形態においては、識別対象として人物の顔を適用していたが、これに限られるものではない。例えば、動物、建物、商標、ロゴ等であっても良い。この場合、識別対象を識別することができるような情報（識別対象の画像等）と、識別対象に関する属性情報とを対応付けてデータベースに登録しておく。或いは、識別対象を識別することができるような情報（座標情報等）を画像データに対応付けて記憶部１２に記憶させておく。そして、制御部１１は、データベースに属性情報が登録されている対象物の画像が表示されているか否かを判断し、対象物の画像が表示されている場合に、その対象物の属性情報を表示すれば良い。
【０１３８】
また、上記実施形態においては、プロフィール情報を表示する場合に、スライドショーパラメータの全パラメータを変更していたが、一部のパラメータのみ変更するようにしても良い。また、スライドショーパラメータの変更は行わなくても良い。
【０１３９】
また、上記実施形態においては、画像表示装置１自身に電話機能を持たせていたが、これに限られるものではない。例えば、画像表示装置１自身は電話機能を持たず、画像表示装置１とは別個の電話機器を画像表示装置１が制御するようにしても良い。
【０１４０】
また、上記実施形態においては、通話中はスライドショー再生が停止するようになっていたが、通話中であってもスライドショー再生は停止しないようにしても良い。
【０１４１】
また、上記実施形態においては、プロフィール情報の表示イメージを含む画像を作成し、作成した画像をスライドショー再生の画像切り替えによって表示させることで、プロフィール情報を表示させるようにしていたが、例えば、プロフィール情報を現在表示されている画像上に直接重ねて表示させるようにしても良い。
【符号の説明】
【０１４２】
１  画像表示装置
１１  制御部
１２  記憶部
１３  ディスプレイ
１４  タッチパネル
１５  マイク
１６  スピーカ
１７  電話通信Ｉ／Ｆ
１８  バス
【図１】
2011008492.tif 000003
【図２】
2011008492.tif 000004
【図３】
2011008492.tif 000005
【図４】
2011008492.tif 000006
【図５】
2011008492.tif 000007
【図６】
2011008492.tif 000008
【図７】
2011008492.tif 000009
【図８】
2011008492.tif 000010
【図９】
2011008492.tif 000011
【図１０】
2011008492.tif 000012
【図１１】
2011008492.tif 000013
【図１２】
2011008492.tif 000014
【図１３】
2011008492.tif 000015